(57)【特許請求の範囲】
【請求項１】
無線通信ネットワーク（１）の無線デバイス（１０）の通信を処理するために無線デバイス（１０）により実行される方法であって、
無線ネットワークノード（１２）が前記無線デバイス（１０）にサービスを提供し、
前記方法は、
セル品質導出を実行するためのビームの第１数を示す第１表示と、測定レポートを実行するためのビームの第２数を示す第２表示とであって、前記第１数と前記第２数は異なり、前記第１数は前記第２数より小さい、前記第１表示と前記第２表示と、を取得する（１０１１）ことと、
前記第１表示を考慮してセル品質導出を実行する（１０１４）ことと、
前記第２表示を考慮してビームの前記第２数の測定レポートを実行する（１０１５）ことと、
を含む方法。
【請求項２】
請求項１に記載の方法であって、
前記第１表示を取得することは、前記無線デバイスが表示を受信しない場合、或いは、前記無線ネットワークノードから前記第２表示のみを受信する場合、前記第１表示がビームの前記第１数として１を示していると仮定すること、を含む方法。
【請求項３】
請求項１又は２に記載の方法であって、
前記第１表示及び／又は前記第２表示は、ビーム数を定義する実際の値及び／又は最良ビームを定義する閾値である、方法。
【請求項４】
請求項１から３のいずれか１項に記載の方法であって、
前記第１表示は、ビームの前記第１数として１を示す、方法。
【請求項５】
請求項１から４のいずれか１項に記載の方法であって、
セル品質導出のためのビームの前記第１数が測定レポートのためのビームの前記第２数よりも小さい場合、最大数のフィルタを設定し（１０１３）、前記測定レポートには利用可能な総てのフィルタされた値を含めながら、セル品質導出には値のサブセットを使用してセル品質導出を実行する（１０１４）こと、を含む方法。
【請求項６】
請求項１から５のいずれか１項に記載の方法であって、
セル品質導出及び測定レポートのために前記無線デバイスによって使用される、前記無線ネットワークノードにより構成されるビーム数は、セル品質導出を計算するために平均化されるビームの最大数として解釈される、方法。
【請求項７】
請求項１から６のいずれか１項に記載の方法であって、
前記第１表示は、前記第２表示を使用する関数である、方法。
【請求項８】
無線通信ネットワークの無線デバイスの通信を処理するために無線ネットワークノード（１２）により実行される方法であって、
前記無線ネットワークノードは前記無線デバイスにサービスを提供し、
前記方法は、
セル品質導出を実行するためのビームの第１数を示す第１表示と、測定レポートを実行するためのビーム第２数を示す第２表示と、を含む構成データを前記無線デバイス（１０）に送信する（１０２１）こと、を含み、
前記第１数と前記第２数は異なり、前記第１数は前記第２数より小さい、方法。
【請求項９】
無線通信ネットワーク（１）の無線デバイス（１０）の通信を処理する無線デバイス（１０）であって、
無線ネットワークノード（１２）が前記無線デバイス（１０）にサービスを提供する様に構成され、
前記無線デバイスは、
セル品質導出を実行するためのビームの第１数を示す第１表示と、測定レポートを実行するためのビームの第２数を示す第２表示とであって、前記第１数と前記第２数は異なり、前記第１数は前記第２数より小さい、前記第１表示と前記第２表示と、を取得し、
前記第１表示を考慮してセル品質導出を実行し、
前記第２表示を考慮してビームの前記第２数の測定レポートを実行する様に構成されている、無線デバイス。
【請求項１０】
請求項９に記載の無線デバイス（１０）であって、
前記無線デバイスは、前記無線デバイスが表示を受信しない場合、或いは、前記無線ネットワークノードから前記第２表示のみを受信する場合、前記第１表示がビームの前記第１数として１を示していると仮定することにより、前記第１表示を取得する様に構成されている、無線デバイス。
【請求項１１】
請求項９又は１０に記載の無線デバイス（１０）であって、
前記第１表示及び／又は前記第２表示は、ビーム数を定義する実際の値及び／又は最良ビームを定義する閾値である、無線デバイス。
【請求項１２】
請求項９から１１のいずれか１項に記載の無線デバイス（１０）であって、
前記第１表示は、ビームの前記第１数として１を示す、無線デバイス。
【請求項１３】
請求項９から１２のいずれか１項に記載の無線デバイス（１０）であって、
セル品質導出のためのビームの前記第１数が測定レポートのためのビームの前記第２数よりも小さい場合、最大数のフィルタを設定し、前記測定レポートには利用可能な総てのフィルタされた値を含めながら、セル品質導出には値のサブセットを使用して前記セル品質導出を実行する様に、さらに構成されている、無線デバイス。
【請求項１４】
請求項９から１３のいずれか１項に記載の無線デバイス（１０）であって、
セル品質導出及び測定報告のために前記無線デバイスによって使用される、前記無線ネットワークノードにより構成されるビーム数を、セル品質導出を計算するために平均化されるビームの最大数として解釈する様に構成される、無線デバイス。
【請求項１５】
請求項９から１４のいずれか１項に記載の無線デバイス（１０）であって、
前記第１表示は、前記第２表示を使用する関数である、無線デバイス。
【請求項１６】
無線通信ネットワークの無線デバイスの通信を処理する無線ネットワークノード（１２）であって、
前記無線ネットワークノードは前記無線デバイスにサービスを提供する様に構成され、
前記無線ネットワークノードは、
セル品質導出を実行するためのビームの第１数を示す第１表示と、測定レポートを実行するためのビームの第２数を示す第２表示と、を含む構成データを前記無線デバイスに送信する様に構成され、
前記第１数と前記第２数は異なり、前記第１数は前記第２数より小さい、無線ネットワークノード。
【請求項１７】
少なくとも１つのプロセッサで実行されると、請求項１から８のいずれか１項に記載の無線ネットワークノード又は無線デバイスにより実行される方法を前記少なくとも１つのプロセッサに実行させる命令を含むコンピュータプログラム。
【請求項１８】
少なくとも１つのプロセッサで実行されると、請求項１から８のいずれか１項に記載の無線ネットワークノード又は無線デバイスにより実行される方法を前記少なくとも１つのプロセッサに実行させる命令を含むコンピュータプログラムを格納したコンピュータ可読記憶媒体。
【請求項１９】
処理回路を含む無線デバイス（１０）であって、
前記処理回路は、
セル品質導出を実行するためのビームの第１数を示す第１表示と、測定レポートを実行するためのビームの第２数を示す第２表示とであって、前記第１数と前記第２数は異なり、前記第１数は前記第２数より小さい、前記第１表示と前記第２表示と、を取得し、
前記第１表示を考慮してセル品質導出を実行し、
前記第２表示を考慮してビームの前記第２数の測定レポートを実行する様に構成されている、無線デバイス。
【請求項２０】
処理回路を含む無線ネットワークノード（１２）であって、
前記処理回路は、
セル品質導出を実行するためのビームの第１数を示す第１表示と、測定レポートを実行するためのビームの第２数を示す第２表示と、を含む構成データを無線デバイスに送信する様に構成され、
前記第１数と前記第２数は異なり、前記第１数は前記第２数より小さい、無線ネットワークノード。
【発明の詳細な説明】
【技術分野】
【０００１】
本明細書の実施形態は、無線デバイス、無線ネットワークノード、及び、無線通信に関して実行される方法に関する。さらに、コンピュータプログラム製品及びコンピュータ可読記憶媒体も本明細書で提供される。特に、本明細書の実施形態は、無線通信ネットワーク内の無線デバイスの通信の処理、又は、無線デバイスでのビーム処理に関する。
【背景技術】
【０００２】
典型的な無線通信ネットワークにおいて、無線通信デバイス、移動局、局（ＳＴＡ）及び／又はユーザ装置（ＵＥ）としても知られる無線デバイスは、無線アクセスネットワーク（ＲＡＮ）を介して、１つ以上のコアネットワーク（ＣＮ）と通信する。ＲＡＮは、サービスエリア又はセルエリアに分割される地理的領域をカバーし、各サービスエリア又はセルエリアは、例えば、Ｗｉ−Ｆｉアクセスポイントや、幾つかのネットワークにおいては、例えば、ノードＢ、ｅノードＢ又はｇノードＢとも呼ばれ得る無線基地局（ＲＢＳ）といったアクセスノード等の無線ネットワークノードによりサービス提供される。サービスエリア又はセルエリアは、無線ネットワークノードによって無線カバレッジが提供される地理的エリアである。無線ネットワークノードは、無線ネットワークノードの範囲内の無線デバイスと、エアインタフェースを介して通信するために無線周波数で動作する。無線ネットワークノードは、ダウンリンク（ＤＬ）を介して無線デバイスと通信し、アップリンク（ＵＬ）を介して無線ネットワークノードと通信する。
【０００３】
ユニバーサル移動通信システム（ＵＭＴＳ）は、第２世代（２Ｇ）のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）から発展した、第３世代（３Ｇ）通信ネットワークである。ＵＭＴＳ地上無線アクセスネットワーク（ＵＴＲＡＮ）は、基本的には、ユーザ装置のために広帯域符号分割多重アクセス（ＷＣＤＭＡ）及び／又は高速パケットアクセス（ＨＳＰＡ）を使用するＲＡＮである。第３世代パートナーシッププロジェクト（３ＧＰＰ）として公知のフォーラムにおいて、通信サプライヤは、現在及び将来の世代のネットワークとＵＴＲＡＮの規格を具体的に提案及び同意し、データレートと無線容量の向上を調査している。例えば、ＵＭＴＳの様な幾つかのＲＡＮにおいて、幾つかの無線ネットワークノードは、地上伝送路又はマイクロウェーブにより、無線ネットワークコントローラ（ＲＮＣ）又は基地局コントローラ（ＢＳＣ）の様な、コントローラノードに接続され、それらは、接続される複数の無線ネットワークノードの種々の活動を監視し、調整する。ＲＮＣは、典型的には、１つ以上のコアネットワークに接続される。
【０００４】
発展型パケットシステム（ＥＰＳ）の仕様は第３世代の３ＧＰＰ内で完成し、この作業は４Ｇネットワークや、ニューレディオ（ＮＲ）などの５Ｇネットワークといった、今後の３ＧＰＰリリースでも継続される。ＥＰＳは、ロングタームエボリューション（ＬＴＥ）無線アクセスネットワークとしても知られる、発展型ユニバーサル地上無線アクセスネットワーク（Ｅ−ＵＴＲＡＮ）と、システムアーキテクチャエボリューション（ＳＡＥ）コアネットワークとしても知られる、発展型パケットコア（ＥＰＣ）と、を含む。Ｅ−ＵＴＲＡＮ／ＬＴＥは、３ＧＰＰ無線アクセス技術であり、無線ネットワークノードは、ＥＰＣコアネットワークに直接的に接続される。この様に、ＥＰＳのＲＡＮは、本質的に、"フラット"な構成であり、１つ以上のコアネットワークに直接接続される無線ネットワークノードを含む。
【０００５】
新しい５Ｇ技術では、送信側ビームフォーミングや受信側ビームフォーミングなどのビームフォーミングを利用できるため、非常に多くの送信アンテナ要素と受信アンテナ要素の使用が非常に注目されている。送信側ビームフォーミングとは、送信機が選択された方向の送信信号を増幅し、他の方向の送信信号を抑制できることを意味する。同様に、受信側において、受信機は選択された方向からの信号を増幅し、他の方向からの不要な信号を抑制できる。
【０００６】
ビームフォーミングにより、個々の接続に対して信号を強くすることができる。送信側では、これは送信電力を所望の方向に集中させることにより達成でき、受信側では、これは所望の方向の受信機感度を高めることにより達成できる。このビームフォーミングにより、接続のスループットとカバレッジが向上する。また、不要な信号からの干渉を低減できるため、いわゆるマルチユーザ多入力多出力（ＭＩＭＯ）、つまり、時間周波数グリッド内の同じリソースを使用して、複数の個別接続を介した複数の同時送信が可能になる。
【０００７】
チャネル状態情報基準信号（ＣＳＩ−ＲＳ）と呼ばれるスケジュールされた基準信号が、特定の接続に必要なときに送信される。チャネル状態情報（ＣＳＩ）は、チャネル品質インジケータ（ＣＱＩ）、プリコーディング行列インジケータ（ＰＭＩ）、及び、ランクインジケータ（ＲＩ）を含む。ＣＱＩは、無線デバイスによって無線ネットワークノードにレポートされる。無線デバイスは、無線ネットワークノードに変調方式とコーディング方式を示す。ダウンリンクチャネル状態を予測するため、無線デバイスによるＣＱＩフィードバックを入力として使用できる。ＣＱＩレポートは、ＰＭＩ及びＲＩに基づき得る。ＰＭＩは、無線デバイスによって無線ネットワークノードに示され、そのプリコーディング行列は、ＲＩによって決定されるダウンリンク送信に使用され得る。無線デバイスはさらに、ＲＩを無線ネットワークノードに示す、つまり、ＲＩは、無線デバイスへのダウンリンク送信に使用すべきレイヤ数を示す。ＣＳＩ−ＲＳをいつ、どのように送信するかの決定は、無線ネットワークノードによって行われ、この決定は、いわゆる測定許可を使用して関連する無線デバイスに通知される。無線デバイスは、測定許可を受信すると、対応するＣＳＩ−ＲＳを測定する。無線ネットワークノードは、無線デバイスがそれらのビームに関するより詳細な情報をレポートできるように、その無線デバイスにとって強いと知られているビームのみを使用してＣＳＩ−ＲＳを無線デバイスに送信することを選択し得る。或いは、無線ネットワークノードは、例えば、無線デバイスが移動している場合に新しいビームの高速検出を可能にするために、その無線デバイスにとって強いことが知られていないビームを使用してＣＳＩ−ＲＳを送信することを選択し得る。
【０００８】
ニューレディオ（ＮＲ）ネットワークの無線ネットワークノードは、他の基準信号も送信する。たとえば、無線ネットワークノードは、制御情報又はデータを無線デバイスに送信するときに、いわゆる復調基準信号（ＤＭＲＳ）を送信し得る。その様な送信は、通常、その無線デバイスおいて強いことが知られているビームを使用して行われる。
【０００９】
ＮＲの場合、最大１００ＧＨｚの周波数範囲が考慮される。６ＧＨｚを超える高周波無線通信では、大きなパス損失と貫通損失が生じることが知られている。この問題に対処する１つの解決策は、高いビームフォーミングゲインを実現するために大規模アンテナアレイを配置することであり、これは、高周波信号の短い波長により合理的な解決策である。したがって、ＮＲのＭＩＭＯスキームはマッシブＭＩＭＯとも呼ばれる。３０〜７０ＧＨｚ付近には、最大２５６個の送信（Ｔｘ）及び受信（Ｒｘ）アンテナ要素が想定される。７０ＧＨｚで１０２４Ｔｘアンテナ要素をサポートするための拡張が合意されており、これは３０ＧＨｚでは検討中である。サブ６ＧＨｚ通信の場合、アンテナ要素の数を増やしてビームフォーミングと多重化のゲインを増やすこともトレンドである。
【００１０】
マッシブＭＩＭＯでは、ビームフォーミングの３つのアプローチ、アナログ、デジタル、及び、ハイブリッド（アナログとデジタルの組み合わせ）が議論されている。アナログビームフォーミングはＮＲシナリオでの高いパス損失を補償し、デジタルビームフォーミング（又はプリコーディング）は、妥当なカバレッジを達成するために必要なサブ６ＧＨｚのＭＩＭＯと同様の追加のパフォーマンスゲインを提供する。アナログビームフォーミングの実装の複雑さは、単純な位相シフタに依存しているため、デジタルビームフォーミングよりも大幅に小さくなるが、欠点は多方向への柔軟性の制限である。つまり、一度に１つのビームしか形成できず、その後、ビームが時間領域で切り替えられ、広帯域送信のみ、つまりサブバンドでの送信が不可能であり、アナログ領域で不可避な不正確性が生じる。ＬＴＥで現在使用されている中間周波数（ＩＦ）ドメインとデジタルドメインとの間で高価なコンバータを必要とするデジタルビームフォーミングは、一度に複数のサブバンド上の複数のビームの形成が可能なため、データレートと多重化機能に関して最高のパフォーマンスを提供するが、同時に消費電力、集積化、及び、コストの面で挑戦的であり、さらに、コストは急速に増加する一方で、ゲインは送信及び受信ユニットの数に比例して拡大しない。したがって、ＮＲでは、コスト効率の高いアナログビームフォーミングと大容量デジタルビームフォーミングのメリットを享受するために、ハイブリッドビームフォーミングをサポートすることが望まれている。デジタルプリコーディングとアナログビームフォーミングを使用したハイブリッドビームフォーミングの例を図１に示す。
【００１１】
ビームフォーミングは、送信ビーム及び／又は受信ビームであり、ネットワーク側又は無線デバイス側で行うことができる。
【００１２】
サブアレイのアナログビームは、各直交周波数分割多重（ＯＦＤＭ）シンボルで単一方向に向けることができるため、サブアレイ数が、各ＯＦＤＭシンボルのビーム方向の数と対応するカバレッジを決定する。ただし、特に個々のビーム幅が狭い場合、サービングエリア全体をカバーするビーム数は、通常、サブアレイ数よりも多くなる。したがって、サービングエリア全体をカバーするには、時間領域で別々にステアリングされる狭いビームを使用した複数の送信も必要になる可能性がある。この目的のための複数の狭いカバレッジビームの提供は、「ビーム掃引"とも呼ばれる。アナログ及びハイブリッドビームフォーミングの場合、ＮＲの基本的なカバレッジを提供するには、ビーム掃引が不可欠であると考えられる。この目的のために、複数のＯＦＤＭシンボルが割り当てられ、定期的に送信され、そこでは、異なるステアリングビームがサブアレイを介して送信され得る。図２は、２つのサブアレイの送信ビーム掃引を示している。図３は、３つのサブアレイの送信ビーム掃引を示している。
【発明の概要】
【発明が解決しようとする課題】
【００１３】
ここで、本明細書で想定され得る同期信号（ＳＳ）ブロック及びＳＳバースト構成の非限定的な例を説明する。
【００１４】
ＳＳブロック
ＮＲのプライマリ同期信号（ＰＳＳ）、ＮＲのセカンダリ同期信号（ＳＳＳ）及び／又はＮＲの物理ブロードキャストチャネル（ＰＢＣＨ）は、ＳＳブロック内で送信され得る。所定の周波数帯域において、ＳＳブロックは、デフォルトのサブキャリア間隔に基づいてＮ個のＯＦＤＭシンボルに対応し、Ｎは定数である。無線デバイスは、ＳＳブロックから、少なくともＯＦＤＭシンボルインデクス、無線フレーム内のスロットインデクス、及び、無線フレーム番号を識別し得る。たとえば、無線フレーム又はＳＳバーストセットに関して可能なＳＳブロック時間位置の単一セットが、周波数帯域ごとに指定される。少なくともマルチビームの場合、少なくともＳＳブロックの時間インデクスが無線デバイスに示される。実際に送信されたＳＳブロックの位置は、ＣＯＮＮＥＣＴＥＤ及び／又はＩＤＬＥモード測定を支援するため、ＣＯＮＮＥＣＴＥＤモードの無線デバイスがＤＬデータを受信するため、及び／又は、未使用ＳＳブロックで制御するため、そして潜在的にＩＤＬＥモードの無線デバイスが未使用のＳＳブロックでＤＬデータ／制御信号を受信するために通知され得る。
【００１５】
ＳＳバースト
１つ以上のＳＳブロックがＳＳバーストを構成する。ＳＳバーストセット内のＳＳブロックの最大数Ｌは、キャリア周波数に依存し得る。例えば、
・周波数範囲カテゴリ＃Ａ（０〜６ＧＨｚなど）の場合、数（Ｌ）はＬ≦［１６］内で未定（ＴＢＤ）である。
・周波数範囲カテゴリ＃Ｂ（６〜６０ＧＨｚなど）の場合、数は、Ｌ≦［１２８］内で未定（ＴＢＤ）である。
【００１６】
ＳＳバーストセット
１つ以上のＳＳバーストは、ＳＳバーストセット（又はシリーズ）をさらに構成し、ＳＳバーストセット内のＳＳバーストの数は有限である。物理層仕様の観点から、ＳＳバーストセットの少なくとも１つの周期性がサポートされる。無線デバイスの観点から見ると、ＳＳバーストセットの送信は周期的である。少なくとも最初のセル選択において、無線デバイスは、特定のキャリア周波数（たとえば、５ミリ秒、１０ミリ秒、２０ミリ秒、４０ミリ秒、８０ミリ秒、又は、１６０ミリ秒のいずれか）のＳＳバーストセット送信のデフォルト周期性を仮定し得る。無線デバイスは、所定のＳＳブロックがＳＳバーストセット周期で繰り返されると仮定し得る。デフォルトでは、無線デバイスは、無線基地局ｇＮＢが同じ数の物理ビームを送信することも、ＳＳバーストセット内の異なるＳＳブロック間で同じ物理ビームを送信することも想定しない。
【００１７】
キャリアごとに、ＳＳブロックは時間調整され、或いは、完全又は少なくとも部分的にオーバーラップされ、或いは、送信されたＳＳブロックの実際の数が異なるセルで異なる場合、ＳＳブロックの先頭が時間調整され得る。図４は、ＳＳブロック、ＳＳバースト、ＳＳバーストセット／シリーズの構成例を示している。
【００１８】
ＬＴＥにおいてはｅＮＢとも呼ばれるサービング無線基地局でのＬＴＥハンドオーバの決定は、異なるセルの無線品質に基づいて無線デバイスに設定されたイベントに基づいて行われる。これらの測定は、セル固有基準信号に基づいて実行されるため、セル品質が導出され、これは、セル品質導出とも呼ばれる。
【００１９】
ＬＴＥにおいて、無線デバイスはセル固有基準信号（ＣＲＳ）と同期信号、例えば、ＰＳＳ／ＳＳＳを使用してセルを検出し、無線リソース管理（ＲＲＭ）測定を実行してセル品質を導出する。周波数内及び周波数間の両方の測定、つまり周波数内及び異なる周波数間の測定の両方について、無線デバイスは、チャネル状態とノイズレベルに応じて特定のＲＲＭ要件を満たすことが期待される。そのために、通常、無線デバイスは、ＣＲＳ（セル検出後）に基づいて、定期的、例えば、４０ｍｓ毎にスナップショットを収集し、制限された帯域幅でサンプルごとにコヒーレント平均と非コヒーレント平均が実行される。無線デバイスは、物理層でフィルタリングを実行し、測定結果を上位層にレポートする前に、スパイクや誤った測定値を排除する。測定結果が上位層で受信されるたびに、無線デバイスは層３（Ｌ３）フィルタリングを実行する。ＬＴＥでは、標準化されたＬ３フィルタリングにより、無線デバイス間である程度の調和が実現される。ただし、レイヤ１（Ｌ１）フィルタのパラメータは標準化されておらず、無線デバイスの実装に任されている。この様に、Ｌ３フィルタはＬ３によって構成される。Ｌ１フィルタは、通常、構成可能ではなく、無線デバイスの実装に委ねられ、仕様化されていない。
【００２０】
ＬＴＳ３６．３００セクション１０．６バージョン１４．０．０でキャプチャされたＬＴＥフィルタリングモデルが図５に再現されており、文字Ａ、Ｂ、Ｃ、Ｃ'、Ｄがエントリポイントである。
【００２１】
３ＧＰＰのＲＡＮ１の用語では、少なくともＮＲ同期シーケンスの組み合わせ、たとえばＮＲ−ＰＳＳ／ＮＲ−ＳＳＳ及びＰＢＣＨは、いわゆるＳＳブロックを構成する。これには、ＯＦＤＭシンボルタイミング又は同等の情報を示す３次又は時間同期信号（ＴＳＳ）シーケンスが含まれることもあるが、これはＲＡＮ１において依然、研究中（ＦＦＳ）である。このＴＳＳの代替として、ＰＢＣＨの一部として符号化されたタイムインデクスがあり、これも各ＳＳブロックで送信される。ターゲットセルにアクセスを試みる、コネクティッド又はＲＲＣ＿ＣＯＮＮＥＣＴＥＤ無線デバイスは、"ＳＳバースト"と呼ばれる、ＳＳブロック送信の繰り返しバーストの形式でＳＳブロックが送信され得ると仮定し、ここで、ＳＳバーストは、互いに近い時間で送信される複数のＳＳブロックで構成される。さらに、ＳＳバーストのセットはグループ化することができ（"ＳＳバーストセット"と表示）、ＳＳバーストセット内のＳＳバーストは互いに何らかの関係があると想定される。ＳＳバーストとＳＳバーストセットの両方には、それぞれの周期性がある。シングルビームのシナリオにおいて、ネットワークは、ワイドビームの１つのＳＳバースト内で時間の繰り返しを設定できる。
【００２２】
図６は、ＳＳバーストセットのさまざまな構成例を示している。
【００２３】
トップ：広いビームの１つのＳＳバースト内での時間の繰り返し。
【００２４】
ミドル：ＳＳバーストセット内の１つのＳＳバーストのみを使用した少数のビームのビーム掃引。
【００２５】
ボトム：完全な掃引を形成するために、ＳＳバーストセット内の複数のＳＳバーストを使用した多数のビームをビーム掃引。
これら３つの選択肢のうち、実装するのはネットワークベンダの選択となる。その選択は、ｉ）周期的かつ常に狭いビーム掃引で送信することによって生じるオーバーヘッドと、ｉｉ）物理ダウンリンク共有チャネル（ＰＤＳＣＨ）／物理ダウンリンク制御チャネル（ＰＤＣＣＨ）の狭ビームを見つけるために無線デバイスを構成するのに必要な遅延とシグナリングとのトレードオフに依存する。上の図に示されている実装ではｉ）が優先され、下の図に示されている実装ではｉｉ）が優先される。図のミドルは、中間の場合で、広いビーム掃引が使用される。その場合、セルをカバーするビーム数は削減されるが、場合によっては、ＰＤＳＣＨの狭ゲインビームフォーミングのために追加の改良が必要である。
【００２６】
これらのどれが各セルに実装されているかに関係なく、ＳＳブロック信号がビームフォーミングされているとき、無線デバイスはセルベースの測定を実行できる必要がある。アテネで開催されたＲＡＮ２＃９７会議のＲＡＮ２の合意によると、セル品質導出又はセル品質は、複数のビームから導出され、次のことが合意されている。
【００２７】
合意
１：セル品質は、Ｎ個のベストビームから導出され、ここで、Ｎの値は、１以上に設定され得る。
ＦＦＳ：適用されるフィルタリングの詳細。
ＦＦＳ：サービングセルの品質がどのように決定されるか（例えば、サービングビームのみ又はセル品質から）。
ＦＦＳ：合意が追加のＲＳとアイドルＲＳの両方に適用されるかどうか。
ＦＦＳ：閾値を超えるビーム、つまり"良い"ビームのみを考慮するかどうか。
【００２８】
ＲＡＮ２＃９７−ｂｉｓの議論では、さらなる進展があり、次の点が合意された。
【００２９】
合意
１：無線リソース制御（ＲＲＣ）で構成されたビーム統合と、セル品質を導出するために無線ネットワークノードで検出されたビームのビーム品質の選択は、Ｌ１フィルタの後に実行される。
２：Ｌ１フィルタは、無線デバイスによって検出された無線ネットワークノードビームに対応する信号品質をフィルタする。
３：ＮＲの測定モデル（マルチビームとシングルビームの両方の場合に適用可能）は、以下で構成される。
ａ−ビーム測定のＬ１フィルタリング
ＦＦＳ  ビーム測定の追加の指定されたフィルタリングがあるかどうか
ｂ−１つ以上の無線ネットワークノードのビーム品質からのセル品質の導出
ｃ−セル品質のＬ３フィルタ（ＲＲＣで構成される）
ｄ−評価レポート基準（ＲＲＣで構成される）
これは、３ＧＰＰがビーム品質測定用のＬ３（又はＬ２）標準フィルタリング方法を決定するかどうかに応じて、２つの測定モデルのいずれかに変換できる。図７ａは、ビーム測定ごとにＬ３／Ｌ２標準化（つまり、構成可能な）フィルタを使用した可能な測定モデルを示している。図７ａには、ＲＲＣ（又は媒体アクセス制御（ＭＡＣ）層）でパラメータを設定できるビーム測定の追加の指定されたフィルタリングがある。フィルタパラメータは、セル値ごとのＬ３フィルタと同じである必要はないことに注意されたい。図７ｂでは、ＲＲＣ（又はＭＡＣレイヤ）によってパラメータを設定できるビーム測定値の追加の指定されたフィルタリングはない。したがって、図７ｂは、Ｌ３／Ｌ２が標準化されていない、つまりビーム測定ごとに構成可能なフィルタがない、可能な測定モデルを示している。図７ａと７ｂの両方のモデルには、セル品質導出関数（検出されたビームからＮ個の最適なビームを選択するビーム統合関数が含まれる）があることに注意されたい。それに関して、以下のこともＲＡＮ２＃９７−ｂｉｓの議論で合意されている。
【００３０】
合意
１：平均化は、複数のビームからセル品質を導出するために使用される（ビームの数が１より大きい場合）。平均化の詳細はＦＦＳである。
【００３１】
合意
１：サービングセルの品質は、隣接セルの品質と同じ方法で、つまり、Ｎ個のベストビームで導出される。
ＦＦＳ  サービングセルと特定の隣接セルに対して異なる値のＮを使用して無線デバイスを構成できるかどうか。
【００３２】
セル品質導出とも呼ばれるセル品質を計算するには、無線デバイスを、ｉ）平均化を実行するための最良Ｎビームを検討できるようにするパラメータＮと、ｉｉ）絶対及び／又は相対閾値（最良ビームの品質に関連）との少なくとも２つのパラメータで構成する必要がある。Ｎ＞１を使用する議論の１つは、これによりハンドオーバのピンポン数、つまりサービングセルからターゲットセルへのハンドオーバの直後、つまり、非常に短い時間で別のハンドオーバが生じることを低減させる。平均は常に最良ビームＮ＝１の値よりも悪いため、最良ビーム、つまりＮ＝１を使用する代わりにＮを平均すると、トリガされる測定レポートのネットワークでの受信が延期される。図８は、この状況を示している。これにより、ピンポンを削減できる可能性があるが、Ｎビームの平均が十分に良くなるときにネットワークは利用可能な測定値を持つため、そのときまでにサービングセルの品質が劣化しているかもしれず、ハンドオーバ障害や無線リンク障害につながる可能性がある。図８は、隣接セルの品質を決定するために最良ビームと平均化を使用する場合にトリガされる測定レポートのタイミングを示している。
【００３３】
発生する可能性のある別の問題は、無線デバイスが単一ビーム（つまり最良）でサービスされているにもかかわらず、Ｎ＞１（例：Ｎ＝４）に基づいてサービングセルＡの平均を実行する場合、無線デバイスが単一ビームのみを検出できる隣接セルを測定することである。その場合、サービングセルの品質は、隣接するセルの品質よりも悪くなり（サービングセルの平均化のためと、隣接セルで１つのビームのみが検出されるため）、測定レポートをトリガする可能性がある。その場合、無線デバイスは、より安定したビーム有し、かつ、その最良ビームが報告された隣接セルの最良ビームよりも良いため、無線デバイスは、サービングセルに留まるべきであることは明らかである。したがって、ネットワークは追加情報を取得する必要がある。
【００３４】
ＲＡＮ２＃９７−ｂｉｓでは、セル品質を計算するために、最良ビームからＮ個の最良ビームを選択するための相対及び／又は絶対閾値の使用が提案されている。現在提案されているアプローチの問題は、Ｎ＞１が設定されている場合、ビーム全体の何らかの平均に依存することである。また、ネットワークには以下の２つのケースを区別する手段がないため、ハンドオーバのピンポンとなり得ることである。
【００３５】
ケース１
セル品質はＮ＞１に基づいて計算されるように構成されているが（他のＮ−１ビームは相対閾値だけ最良ビームよりも悪いか、絶対閾値よりも悪いため）、報告された隣接セルについては、単一のビームのみが無線デバイスによって考慮される。
【００３６】
ケース２
セル品質はＮ＞１に基づいて計算されるように構成され、複数のビームが報告された隣接セルに対して考慮される。
【００３７】
ネットワークが無線デバイスに、非常に少ない（１つだけなど）良好なビームを持つセルにハンドオーバするように指示し、この単一のビームがその後すぐに劣化する場合、無線デバイスは別のハンドオーバを行う必要があり、ピンポンが発生する。したがって、少なくとも同等のセル品質で、より良いビームを持つ隣接セルは、より少ない（又は１つだけの）良いビームを持つセルよりも優先されるべきである。ただし、ネットワークは上記２つのケースを区別できないため、ネットワークは、多くの良好なビームのセルよりも少ない良好なビームのセルに優先順位を付けることができない。
【００３８】
発生する可能性のある別の問題は、無線デバイスがＮ＞１の値で構成され、特定のセルでは、無線デバイスが１つのビーム及び／又はＮより少ないビーム数のみを検出するという事実である。したがって、これは、ネットワークがセル品質を計算するためにＮ＝１を使用することを望むもう１つの理由になる。失敗したハンドオーバ又はピンポンハンドオーバを実行すると、無線通信ネットワークのパフォーマンスが低下又は制限される。
【００３９】
本実施形態の目的は、無線通信ネットワーク内でビームフォーミングを使用する際の無線通信ネットワークのパフォーマンスを改善するメカニズムを提供することである。
【課題を解決するための手段】
【００４０】
上記問題を解決するため、測定レポートで無線ネットワークノードに報告されるビームレベル情報からのセル品質導出に基づいて測定レポートのトリガを分離する方法が開示され、その結果、無線ネットワークノードは、ハンドオーバピンポン、ハンドオーバ障害、又は無線リンク障害間の適切な最適化を適用できる。
【００４１】
本態様によると、目的は、無線通信ネットワークの無線デバイスの通信を処理するために、無線デバイスで実行される方法を提供することにより達成される。無線ネットワークノードは、無線デバイスにサービスを提供する。無線デバイスは、セル品質導出を実行するためのビームの第１数を示す第１表示と、測定報告を実行するためのビームの第２数を示す第２表示と、を取得する。無線デバイスは、第１表示を考慮してセル品質導出を実行し、第２表示を考慮して、ビームの第２数の測定レポートを実行する。
【００４２】
他の態様によると、目的は、無線通信ネットワークの無線デバイスの通信を処理するために、無線ネットワークノードで実行される方法を提供することにより達成される。第１無線ネットワークノードは、無線デバイスにサービスを提供し、無線デバイスに構成データを送信する。構成データは、セル品質導出を実行するためのビームの第１数を示す第１表示と、測定報告を実行するためのビームの第２数を示す第２表示と、を含む。
【００４３】
少なくとも１つのプロセッサ上で実行されると、第１無線ネットワークノード又は無線デバイスにより実行される本明細書の方法を少なくとも１つのプロセッサに実行させる命令を含むコンピュータプログラム製品も提供される。少なくとも１つのプロセッサ上で実行されると、第１無線ネットワークノード又は無線デバイスにより実行される本明細書の方法を少なくとも１つのプロセッサに実行させる命令を含むコンピュータプログラム製品が格納されたコンピュータ可読記憶媒体も提供される。
【００４４】
さらに他の態様によると、目的は、無線通信ネットワークの無線デバイスの通信を処理する無線デバイスを提供することにより達成され得る。無線ネットワークノードは、無線デバイスにサービス提供する様に構成され、セル品質導出を実行するためのビームの第１数を示す第１表示と、測定報告を実行するためのビームの第２数を示す第２表示と、を取得する様に構成される。無線ネットワークノードは、第１表示を考慮してセル品質導出を実行し、第２表示を考慮して、ビームの第２数の測定レポートを実行する様にさらに構成される。
【００４５】
さらに他の態様によると、目的は、無線通信ネットワークの無線デバイスの通信を処理する無線ネットワークノードを提供することにより達成され得る。無線ネットワークノードは、無線デバイスにサービス提供し、無線デバイスに構成データを送信する様に構成され、構成データは、セル品質導出を実行するためのビームの第１数を示す第１表示と、測定報告を実行するためのビームの第２数を示す第２表示と、を含む。
【００４６】
他の態様によると、目的は、セセル品質導出を実行するためのビームの第１数を示す第１表示と、測定報告を実行するためのビームの第２数を示す第２表示と、を取得し、第１表示を考慮してセル品質導出を実行し、第２表示を考慮して、ビームの第２数の測定レポートを実行する様に構成された処理回路を備えた無線デバイスを提供することにより達成され得る。
【００４７】
他の態様によると、目的は、セル品質導出を実行するためのビームの第１数を示す第１表示と、測定報告を実行するためのビームの第２数を示す第２表示と、を含む構成データを無線デバイスに送信する様に構成された処理回路を備えた無線ネットワークノードを提供することにより達成され得る。
【００４８】
本明細書の実施形態によると、無線デバイスは、遅延した測定レポートのトリガを回避することができ（例えば、Ｎ１などの第１表示を１に設定することにより）、その結果、ハンドオーバ障害及び／又は無線リンク障害の発生を回避できる。また、同時に、無線デバイスは、隣接セルからのビームに関するより詳細なビームレベル情報を第１無線ネットワークノードに提供し得る（たとえば、Ｎ２などの第２表示を１より大きく設定する）。言い換えると、セル品質導出は、例えば、最良ビーム（Ｎ１＝１）であるビームの第１数でトリガされ、Ｎ２＞１などのビームの第２数に基づきレポート構成はトリガされ得る。したがって、本明細書の実施形態は、無線通信ネットワークの性能を改善する。
【００４９】
実施形態の詳細について、添付の図面を参照して詳細に説明する。
【図面の簡単な説明】
【００５０】
【図１】ハイブリッドビームフォーミングの例を示す図。
【図２】２つのサブアレイでの送信ビーム掃引を示す図。
【図３】３つのサブアレイでの送信ビーム掃引を示す図。
【図４】ＳＳブロック、ＳＳバースト及びＳＳバーストセット／シリーズの構成例を示す図。
【図５】ＬＴＥ無線デバイスのフィルタリングモデルを示す図。
【図６】ＳＳバーストセットの様々な構成例を示す図。
【図７ａ】ビーム測定毎のＬ３／Ｌ２標準化フィルタ（つまり、構成可能な）を使用した可能な測定モデルを示す図。
【図７ｂ】ビーム測定毎のＬ３／Ｌ２標準化フィルタがない（つまり、構成可能でない）、可能な測定モデルを示す図。
【図８】平均化を使用した場合と使用しない場合の測定レポートのタイミングを示す図。
【図９】本実施形態による無線通信ネットワークの概略を示す図。
【図１０ａ】幾つかの実施形態による、フローチャートとシグナリングスキームを示す図。
【図１０ｂ】実施形態による無線デバイスにより実行される方法のフローチャート。
【図１０ｃ】実施形態による無線ネットワークノードにより実行される方法のフローチャート。
【図１１ａ】ビーム測定毎のＬ３／Ｌ２標準化フィルタ（つまり、構成可能な）を使用する、本実施形態を実現する測定モデルを示す図。
【図１１ｂ】ビーム測定毎のＬ３／Ｌ２標準化フィルタがない（つまり、標準化されていない）、本実施形態を実現する測定モデルを示す図。
【図１２ａ】いくつかの最良ビームのフィルタリング後のビーム品質を示す図。
【図１２ｂ】いくつかの最良ビームのフィルタリング後のビーム品質を示す図。
【図１３】本実施形態による無線デバイスのブロック図。
【図１４】本実施形態による第１無線ネットワークノードのブロック図。
【図１５】
【図１６】
【図１７】
【図１８】
【図１９】
【図２０】
【発明を実施するための形態】
【００５１】
本実施形態は、一般的に無線通信ネットワークに関する。図９は、無線通信ネットワーク１の概略を示している。無線通信ネットワーク１は、１つ以上のＲＡＮと、１つ以上のＣＮと、を有する。無線通信ネットワーク１は、１つ以上の異なる技術、幾つかの可能な実装を述べると、ニューレディオ（ＮＲ）、ＷｉＦｉ、ＬＴＥ、ＬＴＥアドバンスド、第５世代（５Ｇ）、広帯域符号分割多重アクセス（ＷＣＤＭＡ）、グローバルシステム・フォー・モバイルコミュニケーションズ／エンハンスド・データレート・フォー・ＧＳＭエボリューション（ＧＳＭ／ＥＤＧＥ）、ワールドワイド・インタオペラビリィティ・フォー・マイクロウェーブアクセス（ＷｉＭａｘ）、又は、ウルトラモバイルブロードバンド（ＵＭＢ）を使用し得る。本明細書の実施形態は、５Ｇの文脈において特に興味深い最近の技術動向に関する。しかしながら、実施形態はまた、例えば、ＷＣＤＭＡ及びＬＴＥの様な、既存の無線通信システムのさらなる開発にも適用可能である。
【００５２】
無線通信ネットワーク１において、無線デバイス、例えば、移動局、非アクセスポイント（ｎｏｎ−ＡＰ）ＳＴＡ、ＳＴＡ、ユーザ装置及び／又は無線端末の様な無線デバイス１０は、例えば、ＲＡＮである１つ以上のアクセスネットワーク（ＡＮ）を介して、１つ以上のコアネットワーク（ＣＮ）と通信する。"無線デバイス"は、例えば、無線通信端末、ユーザ装置、マシン型通信（ＭＴＣ）デバイス、デバイス間（Ｄ２Ｄ）端末若しくはノード、スマートフォン、ラップトップ、移動電話、センサ、中継器、モバイルタブレットや、無線ネットワークノードによりサービス提供されるエリア内において無線ネットワークノードと通信できるスモール基地局の様な任意端末を意味する非制限的な用語であることを当業者は理解する。
【００５３】
無線通信ネットワーク１は、単に無線ネットワークノードとも呼ばれる第１無線ネットワークノード１２を備え、ＮＲ、ＬＴＥ、ＷｉＦｉ、ＷｉＭａｘ等の第１無線アクセス技術（ＲＡＴ）の第１サービスエリア１１又は第１ビーム／ビームグループといった、地理的範囲に渡る無線カバレッジを提供する。第１無線ネットワークノード１２は、例えば、第１無線アクセス技術及び使用される用語に応じて、例えば、無線ローカルエリアネットワーク（ＷＬＡＮ）アクセスポイント、アクセスポイント局（ＡＰ  ＳＴＡ）、アクセスノード、アクセスコントローラや、例えば、ノードＢ、発展型ノードＢ（ｅＮＢ、ｅノードＢ）、ｇノードＢ、ベース送受信機局、無線遠隔ユニット、アクセスポイント基地局、基地局ルータ、無線基地局の送信装置、スタンドアローンアクセスポイントの様な無線基地局といった基地局や、例えば、第１無線ネットワークノード１２によりサービスされるサービス領域内で無線デバイスと通信できる任意の他のネットワークユニットであり得る。第１の無線ネットワークノード１２は、サービングネットワークノードとも呼ばれる、第１サービスエリアはソースセル又はビームと呼ばれ、サービングネットワークノードは、無線デバイス１０へのＤＬ送信と、無線デバイス１０からのＵＬ送信の形式で無線デバイス１０と通信する。
【００５４】
第２無線ネットワークノード１３は、さらに、ＮＲ、ＬＴＥ、Ｗｉ−Ｆｉ、ＷｉＭＡＸなどの第２無線アクセス技術（ＲＡＴ）の第２サービスエリア１４又は第２ビーム／ビームグループに渡る無線カバレッジを提供し得る。第１ＲＡＴ及び第２ＲＡＴは、同じＲＡＴ又は異なるＲＡＴであり得る。第２無線ネットワークノード１３は、例えば、第２無線アクセス技術及び使用される用語に応じて、例えば、無線ローカルエリアネットワーク（ＷＬＡＮ）アクセスポイント、アクセスポイント局（ＡＰ  ＳＴＡ）、アクセスノード、アクセスコントローラや、例えば、ノードＢ、発展型ノードＢ（ｅＮＢ、ｅノードＢ）、ｇノードＢ、ベース送受信機局、無線遠隔ユニット、アクセスポイント基地局、基地局ルータ、無線基地局の送信装置、スタンドアローンアクセスポイントの様な無線基地局といった基地局や、例えば、第２無線ネットワークノード１３によりサービスされるサービス領域内で無線デバイスと通信できる任意の他のネットワークユニットであり得る。第２無線ネットワークノード１３は、隣接ネットワークノードと呼ばれ、第２サービスエリア１４は、隣接ビーム、セル又はターゲットビームと呼ばれ得る。
【００５５】
サービスエリアは、セル、ビーム、モビリティ測定ビーム、ビームグループ、無線カバレッジのエリアを定義する同様のものとして表示されることに留意されたい。無線ネットワークノードは、それぞれのサービスエリアで基準信号（ＲＳ）を送信する。したがって、第１及び第２無線ネットワークノードは、それぞれの無線ネットワークノードの運用エリアをカバーするため、時間内に、必要と思われる多数のＴｘビームを使用して多数の異なる方向にＣＳＩ−ＲＳ又はビーム基準信号（ＢＲＳ）を繰り返し送信する。したがって、第１無線ネットワークノード１２は、無線通信ネットワーク１の第１サービスエリア１１のための、例えば、第１ＣＳＩ−ＲＳといった第１基準信号を用いて第１サービスエリアに渡る無線カバレッジを提供する。第２無線ネットワークノード１３は、無線通信ネットワーク１の第２サービスエリア１４のための、例えば、第２ＣＳＩ−ＲＳといった第２基準信号を用いて第２サービスエリア１４に渡る無線カバレッジを提供する。
【００５６】
本明細書の実施形態によれば、無線デバイス１０は、ビームの第１数でセル品質導出を実行し、ビームの第２数の測定レポートを実行する。ビームの第１数及びビームの第２数は、例えば、異なる及び／又は分離しており、切り離すことができる。
【００５７】
無線デバイス１０は、無線デバイス１０がセル品質導出機能を実行するビームの第１数を示す第１表示を取得する。無線デバイス１０は、無線デバイス１０がセル報告機能を実行するビームの第２数を示す第２表示を取得する。無線デバイス１０は、第１及び／又は第２表示を事前に構成するといった、内部的にこれら表示を取得することができ、或いは、第１表示及び／又は第２表示を第１無線ネットワークノード１２から別々に又は一緒に受信するといった外部からこれら表示を取得することができる。ビームの第１数及びビームの第２数は異なり得る。
【００５８】
一実施形態において、２つの表示は２つのパラメータであり、Ｎ１及びＮ２として定義される。Ｎ１はセル品質導出機能、つまりセル品質チェックの実行に使用するビームの第１数を示す第１表示に対して定義され、Ｎ２はビームレベルレポート構成（特定のモビリティイベント構成の一部であり得る）、つまり、ビームレベルレポートを実行するために使用するビームの第２数を示す第２表示に対して定義される。第１無線ネットワークノード１２は、Ｎ１＝１及びＮ２＞１に構成することができ、それにより、無線デバイス１０は、第２無線ネットワークノード１３の最良、例えば、最強ビームのみを考慮に入れたセル品質に基づいて測定報告をトリガしながら、同じセル又は無線ネットワークノード１３のＮ２個のビームに関する情報を取得することができる。
【００５９】
無線デバイス１０がセル品質を導出するために考慮する必要があるビームの第１数を定義する複数ビームセルシナリオで使用されるパラメータＮ１は、必要な構成量及び必要なノード間調整、つまり異なるノード間の調整を最小限に抑えるため、少なくともキャリア周波数ごとに構成され得る。
【００６０】
これらの第１表示及び／又は第２表示、例えば、パラメータＮ１及びＮ２は、ブロードキャスト及び／又は専用シグナリングを介して第１無線ネットワークノード１２によって以下の様に構成され得る。
−セル内の無線デバイスごと
−複数セルに渡る無線デバイスごと
−セルごと
−キャリアごと
−キャリアごと及びセルごと、たとえば、キャリアごとの値やオフセットを上書きするセル固有の値
注：他の組み合わせは除外されない。つまり、Ｎ１はキャリアごとに設定でき、Ｎ２はセルごとに設定できる。
【００６１】
いくつかの実施形態において、セル品質導出及び測定レポート構成の両方に対して１つのパラメータＮのみが存在する。したがって、所望の分離を達成するために、第１無線ネットワークノード１２は、平均の効果が最良ビームのみの使用と同等になるように、すなわち、上述したＮ１＝１となる様に、セル品質導出機能又はセル品質導出機能を構成し得る。これは、Ｎ−１の最良ビームのパラメータが最小（たとえば、線形平均の場合はゼロ）に設定されているが、最良のビーム品質が最大に設定されているパラメータ設定で加重平均を使用することにより実行され得る。その様な方法として、
セル品質導出＝ａｌｐｈａ（Ｎ１）＊最良ビームのＲＳＲＰ＋ａｌｐｈａ（Ｎ１−１）＊２番目に最良なビームのＲＳＲＰ＋・・・＋ａｌｐｈａ（１）＊Ｎ番目に最良なビームのＲＳＲＰ
がある。
【００６２】
したがって、Ｎは、ピンポン回避のために報告されるビームの数を単純に制御する。
【００６３】
それを実現する別の方法は、ｄＢ単位の値の平均の代わりに、ビームレベル測定に線形平均を使用することである。線形平均を定義することにより、最良のビーム品質は主にセル品質に影響を与え、Ｎ＝１の設定と同様の効果があり、特に相対品質閾値の低い値の設定と組み合わされる。
セル品質導出＝最良ビームの線形ＲＳＲＰ＋２番目に最良なビームの線形ＲＳＲＰ＋・・・＋Ｎ番目に最良なビームの線形ＲＳＲＰ
一部の実施形態において、"良好な"ビームを定義するための同じ品質閾値が、セル品質導出機能と測定報告構成の両方に対して定義される。したがって、所望の分離を達成するために、第１無線ネットワークノード１２は、平均の効果が最良のビームのみの使用と同等になるように、すなわち、上述したＮ１＝１となる様に、セル品質導出機能又はセル品質導出機能を構成し得る。これは、Ｎ−１の最良ビームのパラメータが最小（たとえば、線形平均の場合はゼロ）に設定されているが、最良のビーム品質が最大に設定されているパラメータ設定で加重平均を使用することにより実行され得る。
セル品質導出＝ａｌｐｈａ（Ｎ１）＊最良ビームのＲＳＲＰ＋ａｌｐｈａ（Ｎ１−１）＊２番目に最良なビームのＲＳＲＰ＋・・・＋ａｌｐｈａ（１）＊Ｎ番目に最良なビームのＲＳＲＰ
これらの実施形態において、閾値は、絶対値、相対値（最良のビームに対する）、又は、絶対値と相対値（最良のビームに対する）の両方であり、ピンポン回避のために報告されたビームの品質を単純に制御する。
【００６４】
いくつかの実施形態において、パラメータＮは、セル品質導出のためのパラメータが提供されない場合、ビームレポートとしても知られる測定レポート構成にのみ関連する。その場合、Ｎは測定レポートに使用され、Ｎ＝１はセル品質導出のために隣接セルに対して仮定される。
【００６５】
別の実施形態において、セル品質導出及び測定レポート構成のための良好なビーム及びビーム数の定義を制御するパラメータは、異なる基準信号に対して異なるように定義され得る。セル品質と測定レポートの両方が、例えば、ＰＳＳ、ＳＳＳ、ＰＳＳ／ＳＳＳの両方、ＰＳＳ／ＳＳＳ／ＰＢＣＨのＤＭＲＳ、又は、ＳＳブロックで送信されるＲＳ又はＣＳＩ−ＲＳの任意の他の組み合わせといったＳＳブロックに基づいている可能性があるため、セル品質導出機能と、例えば、ＳＳ及びＣＳＩ−ＲＳのレポートの間には差があり得る。たとえば、ＳＳが使用される場合、２つのレベルのパラメータが使用され、ＣＳＩ−ＲＳが使用される場合、別の２つのレベルのパラメータが使用される。
【００６６】
異なる機能のパラメータの２つのグループが定義されている（つまり、セル品質導出と測定レポート構成）実施形態では、パラメータの１つのセットをある方法で構成し、別のセットを別の方法で構成できる。たとえば、セル品質導出に関連するパラメータは、アイドル／非アクティブの無線デバイスで使用可能にする必要があるが、測定レポートに関連するパラメータは、コネクティッドモードの無線デバイスにのみ関連する。したがって、セル品質導出のパラメータは、セルごとのシステム情報でブロードキャストされ得るが、測定レポートに関連するパラメータは、測定構成などの専用ＲＲＣシグナリングを使用して構成され得る。
【００６７】
図１０ａは、本実施形態によるフローチャートとシグナリング方法を結合した図である。
【００６８】
アクション１００１
第１無線ネットワークノード１２は、例えば、隣接セルビームトラッキング構成の様なビームトラッキング構成などの構成データを無線デバイス１０に送信し得る。第１無線ネットワークノード１２は、それぞれが測定パラメータに関連付けられた第１表示及び／又は第２表示を含む構成データで無線デバイス１０を構成し得る。１つ以上の表示が、以下の様に構成され得る。
−セル内の無線デバイスごと
−複数セルに渡る無線デバイスごと
−セルごと
−キャリアごと
−キャリア及びセルごと、たとえば、キャリア毎の値及び／又はオフセットを上書きするセル固有の値
したがって、無線デバイス１０は、例えば、第１無線ネットワークノード１２から個別に又は一緒に構成データを受信して、第１表示及び第２表示を取得する。
【００６９】
アクション１００２
無線デバイス１０は、セル品質チェックを実行するため、及び、ビームレベルレポートのために、第１表示及び第２表示を適用し得る。構成データは、セル毎のＫ（ｉ）個の追跡ビーム、セル品質をチェックするためのＮ１個のビーム、Ｎ２個のリポートされるビーム、隣接セル及びビーム毎のフィルタパラメータ、ビームトラッキングトリガ情報、隣接セル毎のＣＳＩ−ＲＳ構成等を含み得る。検出可能なセルは常に、無線デバイス１０によって最良ビームとして解釈されるべき少なくとも１つのビームを有する。したがって、Ｎ＞１の場合、無線デバイス１０は、そのサービングセルを含む異なる検出されたセルに対して異なる数のビームを検出し得る。したがって、パラメータＮは、セル品質導出で考慮されるビームの最大数及び／又はレポートされるビーム数として解釈されるべきである。用語Ｎが使用されているが、無線デバイス１０に２つの異なるパラメータが設定される場合、Ｎ１又はＮ２も使用できる。いくつかの実施形態において、無線デバイス１０に対して異なる閾値である閾値−１及び閾値−２が定義又は構成され得る。閾値−１は、セル品質導出機能に対して定義される一方、閾値−２は、ビームレベルレポート構成（特定のモビリティイベント構成の一部であり得る）に対して定義される。これは、例えば、閾値−１＞閾値−２をネットワークに構成することを可能にし、その結果、無線デバイス１０が遅すぎる測定レポート（ハンドオーバ障害及び／又は無線リンク障害につながる可能性がある）をトリガせず、同時に、閾値−２に高い値を設定することにより、より多くのビームレベル関連情報を送信し、その結果、隣接セル毎のより詳細なビームレベル情報がレポートされ得る。
【００７０】
ビームレベルレポート構成に関連付けられたセル毎のビームレベル情報は、ＲＳＲＰ及び／又は基準信号受信品質（ＲＳＲＱ）及び／又は信号対干渉及び雑音比（ＳＩＮＲ）又は、例えば、チャネル品質情報（ＣＱＩ）、チャネル状態情報（ＣＳＩ）レポート等のその他の品質メトリックのいずれかであり、これらのビームの値は、例えば、ＲＲＣ及び／又はＭＡＣシグナリングを介して提供されるビームレベルレポート構成に従ってフィルタリングされる場合がある。ビームレベル情報は、Ｎ２の最良ビームの暗黙的又は明示的なビームインデックスの様なものでもあり得る。
【００７１】
閾値は、絶対値又は相対値（最良ビームに対する）又は絶対値及び相対値（最良ビームに対する）の両方であり得る。Ｎ１個の"良い"ビームは、セル品質の計算に使用される。Ｎ２個の"良い"ビームは、測定レポートに含まれる様に使用される。"良い"ビームとは、フィルタリングされたビーム品質＞絶対閾値、又は、フィルタリングされたビーム品質＞フィルタリングされた最良ビーム品質−相対閾値のビームである。これらのフィルタ処理された値は、セル品質導出機能と測定レポート／イベント構成において異なる様に構成され得る。
【００７２】
セル毎のビームレベル情報は、Ｎ２の最良ビーム（閾値−２で制御される）の何らかのビーム関連インデックスであり得る。このように、早期の報告が届く可能性はあるが、ネットワークはより多くの"良い"ビームを持つセルのハンドオーバを優先させることができる。
【００７３】
アクション１００３
隣接セル"ａ"、たとえば、第２無線ネットワークノード１５は、それぞれのビーム（例えば、その隣接セルのビーム１〜Ｍ（ｉ）について）で１つ以上のビームフォーミングされたＣＳＩ−ＲＳ又はＳＳブロックを送信し得る。
【００７４】
アクション１００４
無線デバイス１０は、例えば、ビームトラッキングで、ビームの第２数の測定を実行する。例えば、無線デバイス１０は、それぞれのビームについてＣＳＩ−ＲＳ又はＳＳブロックの信号強度又は品質を測定し得る。
【００７５】
アクション１００５
次に、無線デバイス１０は、例えば、第２表示で示されるビームの第２数についての測定値をレポートし得る。すなわち、無線デバイス１０は、Ｎ２などの第２表示によって定義され得るビームの第２数の測定レポートを送信する。
【００７６】
アクション１００６
次に、無線デバイス１０は、例えば、第１表示で示されるビームの第１数についてのセル品質導出をさらに実行する。
【００７７】
アクション１００７
次に、無線デバイス１０は、セル品質を第１無線ネットワークノード１２にレポートし得る。すなわち、無線デバイス１０は、Ｎ１などの第１表示によって定義され得るビームの第１数の品質レポートを送信する。
【００７８】
アクション１００８
第１無線ネットワークノード１２は、レポートされたセル品質に基づいて、ハンドオーバする隣接セルを示すハンドオーバコマンドを無線デバイス１０に送信し得る。レポートされる隣接セル毎のＲＳＲＰ（設定されたビーム数に基づく）やセル毎のビームレベル品質（設定されたビーム数に基づくが、必ずしも同じではない）などのセル品質を含む測定レポートを受信すると、第１無線ネットワークノード１２は、ピンポンを回避するために、報告されたビーム数の多い隣接セルをハンドオーバターゲット候補として優先することを決定し得る。同時に、第１無線ネットワークノード１２は、良好なビームは少ないが別のセルの最良ビームよりもはるかに優れているセルがある場合、ビームの少ないセルが優先されるように、独自の品質差を定義する。第１無線ネットワークノード１２がこれらの情報を利用できると仮定すると、これらのパラメータは後にレポートされ得る。つまり、同等の品質を持つ２つの隣接セルＡとＢがあり、ＡがＢと比較してより良好なビームを持っている場合、ネットワークはより良好なビームを有するセルを優先すべきである。これにより、ピンポンハンドオーバを回避又は削減できる可能性がある。
【００７９】
アクション１００９
次に、無線デバイス１０は、ハンドオーバコマンドに基づいて、第２無線ネットワークノード１３へのランダムアクセス手順を開始し得る。
【００８０】
次に、図１０ｂに示すフローチャートを参照して、実施形態による無線通信ネットワーク１内の無線デバイス１０の通信を処理するために無線デバイス１０によって実行される方法の動作を説明する。アクションを以下の順序で実行する必要はなく、任意の適切な順序で実行され得る。いくつかの実施形態で実行されるアクションは、破線ボックスで示される。第１無線ネットワークノード１２などの無線ネットワークノードは、無線デバイス１０にサービスを提供する。
【００８１】
アクション１０１１
無線デバイス１０は、セル品質導出を実行するためのビームの第１数を示す第１表示と、測定レポートを実行するためのビームの第２数を示す第２表示と、を取得する。第１表示及び第２表示は、個別に又は１つのメッセージで無線ネットワークノードから受信され得る。第１表示は、第２表示を使用する関数であり得る。この様に、第１表示は、第２表示を使用して取得され得る。無線デバイスは、無線ネットワークノードから構成データを受信し得る。構成データは、セル品質導出を実行するためのビームの第１数を示す第１表示と、測定レポートを実行するためのビームの第２数を示す第２表示と、を含み得る。ビームの第１数及びビームの第２数は異なり得る。第１表示は、ビームの第１数が１であることを示し得る。例えば、無線デバイス１０は、無線デバイスが表示を受信しない場合、或いは、無線ネットワークノードから第２表示のみを受信した場合、第１表示がビームの第１数として１を示していると仮定することによって第１表示を取得し得る。さらに、第１表示及び／又は第２表示は、ビーム数を定義する実際の値及び／又は最良ビームを定義する閾値であり得る。それぞれの閾値は、異なる基準信号に対して異なるように定義することができ、測定ビーム数に影響する。いくつかの実施形態において、最良ビームの異なる表示、意向、又は、数が、セル品質導出及び測定レポート構成に対して定義される。言い換えれば、無線ネットワークノードは、例えば、Ｎ１＝１といったビームの第１数に基づいてセル品質を計算する様に無線デバイスを構成し、セル毎のビームの第２数の最良ビームの測定値をレポートすべきことを無線デバイスに示す第２表示といった別のパラメータを構成する。ビーム数を定義する実際の値Ｎと同様に、表示は追加又は代替として、最良ビームを定義する閾値であり、無線ネットワークノードが、非常に良好なビーム、すなわち、例えば最良ビームに非常に近い品質のみに基づいてセル品質をトリガできるように、閾値を異なるように構成できる一方、たとえば、ピンポンとハンドオーバ失敗のトレードオフを改善するためにそれらがどの程度悪化しているかを見るため、ビームレベル基準信号受信電力（ＲＳＲＰ）及び／又は悪化したビームの同等なビームレベル情報の取得を望むかもしれない。本明細書では、無線デバイス１０がＮ＝１などの第１表示で暗黙的に構成され得るいくつかの構成実施形態も開示される。言い換えると、無線デバイス１０にパラメータが提供されない場合、無線デバイス１０は、Ｎ＝１などの第１表示を仮定する。或いは、第２表示として例えばＮが無線デバイスに提供されるといった単一表示の場合、無線デバイスはＮ個の最良ビームに関連する情報をレポートするが、無線デバイスは、セル品質導出のための第１表示がＮ＝１であると単に仮定する。
【００８２】
アクション１０１２
無線デバイス１０は、ビーム数に関する第１表示及び第２表示を受信すると、ビーム測定毎に実行するフィルタ数を初期化するために、これら２つの表示の中から最大値を選択し得る。
【００８３】
アクション１０１３
無線デバイス１０は、セル品質導出のためのビームの第１数が測定レポートのためのビームの第２数よりも多い場合、最大数のフィルタを設定し得る。無線デバイスは、セル品質導出のためのビームの第１数が測定レポートのためのビームの第２数よりも小さい場合、最大数のフィルタを設定し得る。
【００８４】
アクション１０１４
次に、無線デバイス１０は、第１表示を考慮してセル品質導出を実行する。セル品質導出及び測定レポートのために無線デバイス１０によって使用される、無線ネットワークノードにより構成されるビーム数は、セル品質導出を計算するために平均化されるビームの最大数として解釈され得る。
【００８５】
アクション１０１５
無線デバイス１０は、第２表示を考慮してビームの第２数の測定レポートをさらに実行する。
【００８６】
例えば、無線デバイス１０は、セル品質導出のために、１つ以上の条件を満足する、例えば、閾値を超えるすべての値を使用し、測定レポートにはサブセットのみを使用し得る。例えば、無線デバイス１０は、ビーム数Ｎ及び閾値の表示を受信する。次いで、閾値を超える残りのビームで平均化された最良のビームを使用することによって、セル品質導出又は略してセル品質が計算され、ここで、平均はＮを超えない。或いは、無線デバイス１０は、測定レポートには利用可能なすべてのフィルタリングされた値を含めながら、セル品質導出のための値のサブセットを使用してセル品質導出を実行し得る。
【００８７】
本実施形態による無線通信ネットワーク１の無線デバイス１０の通信を処理する第１無線ネットワークノードとして例示される、無線ネットワークノードにより実行される本方法のアクションを、図１０ｃに示すフローチャートを参照して詳細に説明する。無線ネットワークノード１２は、無線デバイス１０にサービスを提供する。
【００８８】
アクション１０２１
第１無線ネットワークノード１２は、構成データを無線デバイス１０に送信し、アクション１００１を参照されたい。構成データは、セル品質導出を実行するためのビームの第１数を示す第１表示と、測定レポートを実行するためのビームの第２数を示す第２表示と、を含み得る。ビームの第１数及びビームの第２数は異なり得る。
【００８９】
図１１ａは、ビーム測定毎のＬ３／Ｌ２標準化フィルタ（つまり、構成可能な）を使用する、本実施形態を実現する測定モデルを示している。基準信号受信電力（ＲＳＲＰ）Ａのビーム毎のサンプルは、それぞれ各Ｌ１フィルタリングに供給される。レイヤ１フィルタの出力Ｂは、ビーム毎のＬ３／Ｌ２フィルタに供給される。Ｌ３／Ｌ２フィルタは、フィルタパラメータなどのＲＲＣ又はＭＡＣ構成を使用する。Ｌ３／Ｌ２フィルタの出力Ｂ＊は、セル品質導出に供給される。セル品質導出では、たとえば、第１表示Ｎ１、閾値−１、統合関数のパラメータ、例えば、［ａｌｐｈａ（Ｎ１）、ａｌｐｈａ（Ｎ１−１）、・・・、ａｌｐｈａ（１）］などのＲＲＣ構成を使用する。導出された出力は、フィルタパラメータ等のＲＲＣ構成を使用してＬ３フィルタに供給される。次に、無線ネットワークノードにレポートするかどうかの導出といったレポート基準評価に、Ｌ３が導出したＣは供給される。Ｃ'は測定レポートへの入力である。
【００９０】
図１１ｂは、ビーム毎のＬ３／Ｌ２標準化フィルタがない（つまり構成可能でない）、本実施形態を実現する測定モデルを示している。例えば、基準信号受信電力（ＲＳＲＰ）Ａのビーム毎のサンプルは、各Ｌ１フィルタリングに供給される。レイヤ１のフィルタ処理された出力Ｂは、セル品質導出に供給される。セル品質導出では、たとえば、第１表示Ｎ１、閾値−１、統合関数のパラメータ、例えば、［ａｌｐｈａ（Ｎ１）、ａｌｐｈａ（Ｎ１−１）、・・・、ａｌｐｈａ（１）］などのＲＲＣ構成を使用する。導出された出力は、フィルタパラメータ等のＲＲＣ構成を使用してＬ３フィルタに供給される。次に、無線ネットワークノードにレポートするかどうかの導出といったレポート基準評価に、Ｌ３が導出したＣは供給される。
【００９１】
図１２ａは、セル品質導出の絶対閾値によって示されるように、最良及び２番目に最良のビームがセル品質導出の"良好な"ビームである場合を示し、この様に、閾値がビームの第１数を示し得る。最良、２番目に最良、３番目に最良及び４番目に最良なビームは、すべて、測定レポートの絶対閾値で示されるように、測定レポートにおいて総て"良好"とレポートされ、この様に、閾値はビームの第２数を示す。
【００９２】
図１２ｂは、Ｎ１がＮ１＝１として構成され、Ｎ２がＮ２＝３として構成される場合を示している。その場合、３つの最良ビームの情報が測定レポートで報告される一方、最良ビームのみがセル品質導出に使用される。
【００９３】
図１３は、無線通信ネットワーク１内の無線デバイス１０の通信を処理する（例えば、ハンドオーバを処理する）ための本明細書の実施形態による無線デバイス１０の２つの実施形態を示すブロック図である。第１無線ネットワークノード１２は、無線デバイス１０にサービスを提供する様に構成される。
【００９４】
無線デバイス１０は、本開示の方法を実行する様に構成された、例えば、１つ以上のプロセッサといった処理回路１１０１を含み得る。
【００９５】
無線デバイス１０は、取得モジュール１１０２、例えば、受信機、トランシーバ、適用モジュールなどの構成モジュールを含み得る。無線デバイス１０、処理回路１１０１及び／又は取得モジュール１１０２は、第１表示及び第２表示を取得する様に構成され得る。第１表示は、セル品質導出を実行するためのビームの第１数を示し、第２表示は、測定レポートを実行するためのビームの第２数を示す。ビームの第１数及びビームの第２数は異なる様に分離される。
【００９６】
無線デバイス１０は、測定レポートモジュール１１０３を含み得る。無線デバイス１０、処理回路１１０１及び／又は測定レポートモジュール１１０３は、例えば、第２表示で示される様に、ビームの第２数の測定レポートを実行するように構成される。
【００９７】
無線デバイス１０は、例えば、送信機又はトランシーバといった、セル品質導出モジュール１１０４を備え得る。無線デバイス１０、処理回路１１０１及び／又はセル品質導出モジュール１１０４は、例えば、第１表示で示される様に、ビームの第１数のセル品質導出を実行するように構成される。ビームの第１数及びビームの第２数は互いに分離されており、異なるとも呼ばれる。
【００９８】
無線デバイス１０は、第１測定条件、すなわちビームの第１数に基づいてセル品質導出を実行する。無線デバイス１０は、第２測定条件に基づいてビームレベル情報の測定レポートをさらに実行する。第１測定条件及び第２測定条件は互いに分離されており、異なる条件、つまり、同じ条件ではないとも呼ばれる。したがって、第１の測定条件は第１数であり、第２測定条件は第２数であり得る。
【００９９】
無線デバイス１０は、メモリ１１０５をさらに含み得る。メモリは、表示、ビーム数、測定値、閾値、実行時に本明細書で開示される方法を実行するアプリケーションなどのデータを保存するために使用される１つ又は複数のユニットを含む。
【０１００】
無線デバイス１０について本明細書に記載されている実施形態による方法は、例えば、コンピュータプログラム製品１１０６、すなわちソフトウェアコード部分といった命令を含むコンピュータプログラムの手段により実現され、コンピュータプログラムは、少なくとも１つのプロセッサ上で実行されると、少なくとも１つのプロセッサに、無線デバイス１０によって実行される本明細書に記載のアクションを実行させる。コンピュータプログラム製品１１０６は、コンピュータ可読記憶媒体１１０７、例えば、ディスク、ユニバーサルシリアルバス（ＵＳＢ）スティック等に格納され得る。コンピュータプログラム製品を格納したコンピュータ可読記憶媒体１１０７は、少なくとも１つのプロセッサで実行されると、少なくとも１つのプロセッサに、無線デバイス１０によって実行される本明細書で説明されるアクションを実行させる命令を含み得る。いくつかの実施形態において、コンピュータ可読記憶媒体は、非一時的なコンピュータ可読記憶媒体であり得る。
【０１０１】
この様に、無線デバイスは、処理回路及びメモリを備え、メモリは、処理回路によって実行可能な命令を含み、これにより、無線デバイス１０は、本明細書の方法を実行するように動作する。無線デバイス１０は、セル品質導出を実行するためのビームの第１数を示す第１表示と、測定レポートを実行するためのビームの第２数を示す第２表示と、を取得する様に構成された処理回路を含み得る。処理回路は、第１表示を考慮してセル品質導出を実行し、第２表示を考慮して、ビームの第２数の測定レポートを実行する様にさらに構成される。
【０１０２】
図１４は、無線通信ネットワークにおける無線デバイスの通信を処理又は促進するための本明細書の実施形態による第１無線ネットワークノード１２などの無線ネットワークノードの２つの実施形態を示すブロック図である。第１無線ネットワークノード１２は、無線デバイス１０にサービスを提供する様に構成される。
【０１０３】
第１無線ネットワークノード１２は、本開示の方法を実行する様に構成された、例えば、１つ以上のプロセッサといった処理ユニット１２０１を含み得る。
【０１０４】
第１無線ネットワークノード１２は、構成モジュール１２０２、例えば、送信機又はトランシーバを含み得る。第１無線ネットワークノード１２、処理回路１１０１及び／又は構成モジュール１２０２は、構成データを無線デバイス１０に送信するように構成される。構成データは、セル品質導出を実行するためのビームの第１数を示す第１表示と、測定レポートを実行するためのビームの第２数を示す第２表示と、を含み得る。ビームの第１数及びビームの第２数は異なり得る。
【０１０５】
第１無線ネットワークノード１２は、送信モジュール１２０３、例えば、送信機又はトランシーバを含み得る。第１無線ネットワークノード１２、処理回路１１０１及び／又は送信モジュール１２０３は、ハンドオーバコマンドを無線デバイス１０に送信するように構成され得る。
【０１０６】
第１無線ネットワークノード１２は、メモリ１２０４をさらに含み得る。メモリは、表示、ビーム数、測定値、閾値、実行時に本明細書で開示される方法を実行するアプリケーションなどのデータを保存するために使用される１つ又は複数のユニットを含む。
【０１０７】
第１無線ネットワークノード１２について本明細書に記載されている実施形態による方法は、例えば、コンピュータプログラム製品１２０５、すなわちソフトウェアコード部分といった命令を含むコンピュータプログラムの手段により実現され、コンピュータプログラムは、少なくとも１つのプロセッサ上で実行されると、少なくとも１つのプロセッサに、第１無線ネットワークノード１２によって実行される本明細書に記載のアクションを実行させる。コンピュータプログラム製品１２０５は、コンピュータ可読記憶媒体１２０６、例えば、ディスク、ユニバーサルシリアルバス（ＵＳＢ）スティック等に格納され得る。コンピュータプログラム製品を格納したコンピュータ可読記憶媒体１２０６は、少なくとも１つのプロセッサで実行されると、少なくとも１つのプロセッサに、第１無線ネットワークノード１２によって実行される本明細書で説明されるアクションを実行させる命令を含み得る。いくつかの実施形態では、コンピュータ可読記憶媒体は、非一時的なコンピュータ可読記憶媒体であり得る。
【０１０８】
したがって、第１無線ネットワークノード１２は、処理回路及びメモリを備え、メモリは、処理回路によって実行可能な命令を含み、それにより、無線デバイス１０は、本明細書の方法を実行するように動作する。
【０１０９】
一実施形態に従う図１５を参照すると、通信システムは、３ＧＰＰタイプのセルラネットワークなどの通信ネットワーク３２１０を含み、通信ネットワーク３２１０は、無線アクセスネットワークなどのアクセスネットワーク３２１１とコアネットワーク３２１４とを含む。アクセスネットワーク３２１１は、ＮＢ、ｅＮＢ、ｇＮＢ又は他のタイプの無線アクセスポイントなどの複数の無線ネットワークノード３２１２ａ、３２１２ｂ、３２１２ｃを備え、それぞれが対応するカバレッジエリア３２１３ａ、３２１３ｂ、３２１３ｃを定義する。各無線ネットワークノード３２１２ａ、３２１２ｂ、３２１２ｃは、有線又は無線接続３２１５を介してコアネットワーク３２１４に接続可能である。カバレッジエリア３２１３ｃに位置するユーザ装置（ＵＥ）３２９１として示される無線デバイスは、対応する基地局３２１２ｃに無線で接続する、或いは、ページングされるように構成される。カバレッジエリア３２１３ａ内にＵＥ３２９２として示される第２無線デバイスは、対応する無線ネットワークノード３２１２ａに無線で接続可能である。複数のＵＥ３２９１、３２９２がこの例に示されているが、開示された実施形態は、単一ＵＥがカバレッジエリアにある状況、又は、単一ＵＥが対応する無線ネットワークノード３２１２に接続している状況に等しく適用可能である。
【０１１０】
通信ネットワーク３２１０自体は、スタンドアロンサーバ、クラウド実装サーバ、分散サーバのハードウェア及び／又はソフトウェアにより、又は、サーバファームの処理リソースとして具現化され得るホストコンピュータ３２３０に接続される。ホストコンピュータ３２３０は、サービスプロバイダの所有権又は管理下にあり得るか、又は、サービスプロバイダによって、若しくは、サービスプロバイダに代わって操作され得る。通信ネットワーク３２１０とホストコンピュータ３２３０との間の接続３２２１、３２２２は、コアネットワーク３２１４からホストコンピュータ３２３０まで直接延長してもよく、又は、オプションの中間ネットワーク３２２０を介してもよい。中間ネットワーク３２２０は、パブリック、プライベート、又は、ホストされたネットワークの１つ、又は、２つ以上の組み合わせであっても良く、中間ネットワーク３２２０（ある場合）は、バックボーンネットワーク又はインターネットである場合があり、特に、中間ネットワーク３２２０は、２つ以上のサブネットワーク（図示せず）を備えてもよい。
【０１１１】
図１５の通信システムは全体として、接続されたＵＥ３２９１、３２９２のうちの１つとホストコンピュータ３２３０との間の接続を可能にする。接続性は、オーバーザトップ（ＯＴＴ）接続３２５０として説明され得る。ホストコンピュータ３２３０及び接続されたＵＥ３２９１、３２９２は、アクセスネットワーク３２１１、コアネットワーク３２１４、任意の中間ネットワーク３２２０、及び、仲介者としての可能なさらなるインフラストラクチャ（図示せず）を使用して、ＯＴＴ接続３２５０を介してデータ及び／又はシグナリングを通信するように構成される。ＯＴＴ接続３２５０は、ＯＴＴ接続３２５０が通過する参加通信デバイスがアップリンク及びダウンリンク通信のルーティングを認識しないという意味で透過的であり得る。例えば、無線ネットワークノード３２１２は、接続されたＵＥ３２９１に転送される（例えば、引き渡される）ホストコンピュータ３２３０から発信されるデータとの着信ダウンリンク通信の過去のルーティングについて通知されないか、又は、通知される必要はない。同様に、無線ネットワークノード３２１２は、ＵＥ３２９１からホストコンピュータ３２３０に向かう発信アップリンク通信の将来のルーティングを認識する必要はない。
【０１１２】
一実施形態による、前述の段落で説明したＵＥ、無線ネットワークノード、及びホストコンピュータの例示的な実装形態を、図１６を参照して説明する。通信システム３３００において、ホストコンピュータ３３１０は、通信システム３３００の異なる通信デバイスのインターフェースとの有線又は無線接続をセットアップ及び維持するように構成された通信インターフェース３３１６を含むハードウェア３３１５を備える。ホストコンピュータ３３１０は、記憶及び／又は処理能力を有し得る処理回路３３１８をさらに備える。特に、処理回路３３１８は、命令を実行するように適合された１つ以上のプログラマブルプロセッサ、特定用途向け集積回路、フィールドプログラマブルゲートアレイ、又は、これらの組み合わせ（図示せず）を備え得る。ホストコンピュータ３３１０は、ソフトウェア３３１１をさらに備え、ソフトウェア３３１１は、ホストコンピュータ３３１０に格納されるか、ホストコンピュータ３３１０によってアクセス可能であり、処理回路３３１８によって実行可能である。ソフトウェア３３１１は、ホストアプリケーション３３１２を含む。ホストアプリケーション３３１２は、ＵＥ３３３０におけるＯＴＴ接続３３５０終端とホストコンピュータ３３１０を介して接続する、無線装置１０の例であるＵＥ３３３０の様なリモート・ユーザにサービスを提供するように動作可能であり得る。リモート・ユーザにサービスを提供する際、ホストアプリケーション３３１２は、ＯＴＴ接続３３５０を使用して送信されるユーザデータを提供し得る。
【０１１３】
通信システム３３００は、通信システムに設けられ、ホストコンピュータ３３１０及びＵＥ３３３０と通信することを可能にするハードウェア３３２５を備える、第１無線ネットワークノード１２の一例である無線ネットワークノード３３２０をさらに含む。ハードウェア３３２５は、通信システム３３００の異なる通信デバイスのインターフェースとの有線又は無線接続をセットアップ及び維持するための通信インターフェース３３２６と、少なくとも、無線ネットワークノード３３２０がサービスを提供するカバレッジエリア（図１６には示されていない）にあるＵＥ３３３０との無線接続３３７０をセットアップ及び維持するための無線インターフェース３３２７と、を含み得る。通信インターフェース３３２６は、ホストコンピュータ３３１０への接続３３６０を促進するように構成され得る。接続３３６０は直接であってもよいし、通信システムのコアネットワーク（図１６には図示せず）及び／又は通信システムの外部の１つ以上の中間ネットワークを通過してもよい。実施形態において、無線ネットワークノード３３２０のハードウェア３３２５は、処理回路３３２８をさらに備え、処理回路３３２８は、命令を実行するように適合された１つ以上のプログラマブルプロセッサ、特定用途向け集積回路、フィールドプログラマブルゲートアレイ、又はこれらの組み合わせ（図示せず）を備え得る。無線ネットワークノード３３２０は、内部に格納されたソフトウェア３３２１又は外部接続を介してアクセス可能なソフトウェア３３２１をさらに有する。
【０１１４】
通信システム３３００は、既に言及したＵＥ３３３０をさらに含む。そのハードウェア３３３５は、ＵＥ３３３０が現在位置するカバレッジエリアにサービスを提供する無線ネットワークノードとの無線接続３３７０をセットアップ及び維持するように構成された無線インタフェース３３３７を含み得る。ＵＥ３３３０のハードウェア３３３５は、処理回路３３３８をさらに備え、処理回路３３２８は、命令を実行するように適合された１つ以上のプログラマブルプロセッサ、特定用途向け集積回路、フィールドプログラマブルゲートアレイ、又はこれらの組み合わせ（図示せず）を備え得る。ＵＥ３３３０は、ソフトウェア３３３１をさらに備え、ソフトウェア３３１１は、ＵＥ３３３０に格納されるか、ＵＥ３３３０によってアクセス可能であり、処理回路３３３８によって実行可能である。ソフトウェア３３３１は、ホストアプリケーション３３３２を含む。クライアントアプリケーション３３３２は、ホストコンピュータ３３１０のサポートにより、ＵＥ３３３０を介して人間又は非人間のユーザにサービスを提供するように動作可能であってもよい。ホストコンピュータ３３１０において、実行中のホストアプリケーション３３１２は、ＵＥ３３３０及びホストコンピュータ３３１０で終端するＯＴＴ接続３３５０を介して実行中のクライアントアプリケーション３３３２と通信することができる。ユーザにサービスを提供する際、クライアントアプリケーション３３３２は、ホストアプリケーション３３１２からリクエストデータを受信し、リクエストデータに応答してユーザデータを提供してもよい。ＯＴＴ接続３３５０は、リクエストデータとユーザデータの両方を転送し得る。クライアントアプリケーション３３３２は、ユーザと対話して、提供するユーザデータを生成することができる。
【０１１５】
図１６に示されるホストコンピュータ３３１０、無線ネットワークノード３３２０及びＵＥ３３３０は、それぞれ、図１５のホストコンピュータ３２３０、無線ネットワークノード３２１２ａ、３２１２ｂ、３２１２ｃのうちの１つ、及び、ＵＥ３２９１、３２９２のうちの１つと同一であり得ることに留意されたい。つまり、これらのエンティティの内部動作は図１６のようになり、独立して、周囲のネットワークトポロジは図１５のようになる。
【０１１６】
図１６において、ＯＴＴ接続３３５０は、無線ネットワークノード３３２０を介したホストコンピュータ３３１０とＵＥ３３３０間の通信を示すために抽象的に描かれ、中間デバイスやこれらのデバイスを介したメッセージの正確なルーティングは明示されていない。ネットワークインフラストラクチャは、ルーティングを決定してもよく、ルーティングは、ＵＥ３３３０又はホストコンピュータ３３１０を操作するサービスプロバイダ、又は、その両方から隠すように構成されてもよい。ＯＴＴ接続３３５０がアクティブである間、ネットワークインフラストラクチャは、ルーティングを動的に変更する決定をさらに行うことができる（たとえば、ネットワークの負荷分散の検討又は再構成に基づいて）。
【０１１７】
ＵＥ３３３０と無線ネットワークノード３３２０との間の無線接続３３７０は、本開示を通して説明される実施形態の教示に従う。１つ以上の様々な実施形態は、無線接続３３７０が最後のセグメントを形成するＯＴＴ接続３３５０を使用して、ＵＥ３３３０に提供されるＯＴＴサービスの性能を改善する。より正確には、これらの実施形態の教示は、ピンポンハンドオーバ及び／又は失敗したハンドオーバを回避し、それによりＯＴＴサービスでのユーザ待ち時間の短縮などの利点を提供するため、パフォーマンスを改善できる。
【０１１８】
測定手順は、データレート、待ち時間、及び、１つ以上の実施形態が改善される他の要因を監視する目的で提供されてもよい。さらに、測定結果の変動に応じて、ホストコンピュータ３３１０とＵＥ３３３０との間のＯＴＴ接続３３５０を再構成するためのオプションのネットワーク機能があり得る。ＯＴＴ接続３３５０を再構成するための測定手順及び／又はネットワーク機能は、ホストコンピュータ３３１０のソフトウェア３３１１又はＵＥ３３３０のソフトウェア３３３１、又はその両方で実装されてもよい。実施形態において、センサ（図示せず）は、ＯＴＴ接続３３５０が通過する通信デバイス内に、又は、それに関連して配置され、センサは、上記で例示した監視量の値を提供するか、ソフトウェア３３１１、３３１１が監視量を計算又は推定できる他の物理量の値を提供することにより、測定手順に参加できる。ＯＴＴ接続３３５０の再構成には、メッセージ形式、再送信設定、優先ルーティングなどが含まれ、再構成は無線ネットワークノード３３２０に影響を与えず、無線ネットワークノード３３２０にとって未知又は感知できない可能性がある。その様な手順及び機能は、当技術分野で知られ実践されている場合がある。特定の実施形態において、測定は、スループット、伝播時間、待ち時間などのホストコンピュータの３３１０測定を容易にする独自のＵＥシグナリングを含み得る。測定は、ソフトウェア３３１１、３３１１が、ＯＴＴ接続３３５０を使用して、伝播時間、エラーなどを監視しながら、メッセージ、特に空又は"ダミー"メッセージを送信するように実装できる。
【０１１９】
図１７は、一実施形態による、通信システムで実施される方法を示すフローチャートである。通信システムは、ホストコンピュータ、無線ネットワークノード、及び、ＵＥと呼ばれる無線デバイスを含み、それらは図１５及び１６を参照して説明されたものであり得る。本開示を単純化するために、図１７への参照図面のみがこのセクションに含まれる。この方法の第１ステップ３４１０では、ホストコンピュータはユーザデータを提供する。第１ステップ３４１０のオプションのサブステップ３４１１では、ホストコンピュータはホストアプリケーションを実行することによりユーザデータを提供する。第２ステップ３４２０において、ホストコンピュータは、ユーザデータをＵＥに搬送する送信を開始する。オプションの第３ステップ３４３０において、無線ネットワークノードは、本開示を通して説明される実施形態の教示に従って、ホストコンピュータが開始した送信で搬送されたユーザデータをＵＥに送信する。オプションの第４ステップ３４４０では、ＵＥは、ホストコンピュータによって実行されるホストアプリケーションに関連するクライアントアプリケーションを実行する。
【０１２０】
図１８は、一実施形態による、通信システムで実施される方法を示すフローチャートである。通信システムは、ホストコンピュータ、基地局、及び、ＵＥを含み、それらは図１５及び１６を参照して説明されたものであり得る。本開示を単純化するために、図１８への参照図面のみがこのセクションに含まれる。この方法の第１のステップ３５１０では、ホストコンピュータはユーザデータを提供する。オプションのサブステップ（図示せず）では、ホストコンピュータはホストアプリケーションを実行することによりユーザデータを提供する。第２ステップ３５２０において、ホストコンピュータは、ユーザデータをＵＥに搬送する送信を開始する。本開示を通して説明される実施形態の教示に従い、送信は、無線ネットワークノードを通過し得る。オプションの第３ステップ３５３０では、ＵＥは、送信で搬送されたユーザデータを受信する。
【０１２１】
図１９は、一実施形態による、通信システムで実施される方法を示すフローチャートである。通信システムは、ホストコンピュータ、基地局、及び、ＵＥを含み、それらは図１５及び１６を参照して説明されたものであり得る。本開示を単純化するために、図１９への参照図面のみがこのセクションに含まれる。この方法のオプションの第１ステップ３６１０において、ＵＥはホストコンピュータにより提供された入力データを受信する。追加又は代替として、オプションの第２ステップ３６２０で、ＵＥはユーザデータを提供する。第２ステップ３６２０のオプションのサブステップ３６２１では、ＵＥはホストアプリケーションを実行することによりユーザデータを提供する。第１ステップ３６１０のさらなるオプションのサブステップ３６１１では、ＵＥは、ホストコンピュータによって提供された受信入力データに応答してユーザデータを提供するクライアントアプリケーションを実行する。ユーザデータを提供する際に、実行されたクライアントアプリケーションは、ユーザから受け取ったユーザ入力をさらに考慮し得る。ユーザデータが提供された特定の方法に関係なく、ＵＥは、オプションの第３サブステップ３６３０で、ホストコンピュータへのユーザデータの送信を開始する。方法の第４ステップ３６４０において、ホストコンピュータは、本開示を通して説明される実施形態の教示に従って、ＵＥから送信されたユーザデータを受信する。
【０１２２】
図２０は、一実施形態による、通信システムで実施される方法を示すフローチャートである。通信システムは、ホストコンピュータ、基地局、及び、ＵＥを含み、それらは図１５及び１６を参照して説明されたものであり得る。本開示を単純化するために、図２０への参照図面のみがこのセクションに含まれる。方法のオプションの第１ステップ３７１０では、本開示全体にわたって説明される実施形態の教示に従って、無線ネットワークノードはＵＥからユーザデータを受信する。オプションの第２ステップ３７２０では、無線ネットワークノードは、受信したユーザデータのホストコンピュータへの送信を開始する。第３ステップ３７３０では、ホストコンピュータは、無線ネットワークノードにより開始された送信で搬送されるユーザデータを受信する。
【０１２３】
幾つかの実施形態において、より一般的な用語"ネットワークノード"が使用され、それは、無線デバイス及び／又は他のネットワークノードと通信する、任意タイプの無線ネットワークノード、又は、任意タイプのネットワークノードに対応する。ネットワークノードの例は、ＮｏｄｅＢ、マスターｅＮＢ、セカンダリｅＮＢ、マスターセルグループ（ＭＣＧ）又はセカンダリセルグループ（ＳＣＧ）に属するネットワークノード、基地局（ＢＳ）、マルチスタンダード無線（ＭＳＲ）ＢＳ等のＭＳＲ無線ノード、ｅＮｏｄｅＢ、ネットワークコントローラ、無線ネットワークコントローラ（ＲＮＣ）、基地局コントローラ（ＢＳＣ）、リレー、リレーを制御するドナーノード、ベーストランシーバステーション（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）のノード、モビリティスイッチングセンター（ＭＳＣ）、モバイル管理エンティティ（ＭＭＥ）など、運用と保守（Ｏ＆Ｍ）、運用サポートシステム（ＯＳＳ）、自己組織化ネットワーク（ＳＯＮ）、Ｅ−ＳＭＬＣ、ＭＤＴ等のポジショニングノードといった、コアネットワークノードである。
【０１２４】
さらに、無線通信ネットワークは、多数のネットワーク／ＲＡＮスライスに仮想的にネットワークスライスされ、各ネットワーク／ＲＡＮスライスは、１つ以上のタイプの無線デバイス及び／又は１つ以上のタイプのサービス、すなわち機能の異なるセットをサポート各ネットワークスライスであり得る。ネットワークスライシングにより、ネットワーク／ＲＡＮスライスがさまざまなサービスとユースケースに使用される可能性が生じ、これらのサービスとユースケースでは、さまざまなネットワークスライスでサポートされる機能に違いが生じる可能性がある。各ネットワーク／ＲＡＮスライスは、それぞれのネットワークスライスにサービス／機能を提供する１つ以上のネットワークノード又はネットワークノードの要素を含むことができる。各ネットワーク／ＲＡＮスライスは、ＲＡＮノード及び／又はコアネットワークノードなどのネットワークノードを備え得る。
【０１２５】
いくつかの実施形態では、無線デバイス又はユーザ装置（ＵＥ）という非限定的な用語が使用され、ネットワークノード及び／又はセルラー又はモバイル通信システム内の別のＵＥと通信するあらゆるタイプの無線デバイスを指す。ＵＥの例は、ターゲットデバイス、デバイス・トゥ・デバイス（Ｄ２Ｄ）ＵＥ、近接能力ＵＥ（ＰｒｏＳｅ  ＵＥ）、マシンタイプＵＥ若しくはマシン・トゥ・マシン（Ｍ２Ｍ）通信が可能なＵＥ、ＰＤＡ，ＰＡＤ、タブレット、移動端末、スマートフォン、ラップトップエンベディッドイクイップド（ＬＥＥ）、ラップトップに実装された装置（ＬＭＥ）、ＵＳＢドングル等である。
【０１２６】
実施形態は５Ｇについて説明されている。しかし、実施形態は、例えば、ＬＴＥ、ＬＴＥ周波数分割複信／時分割複信（ＦＤＤ／ＴＤＤ）、ＷＣＤＭＡ／ＨＳＰＡ、ＧＳＭ／ＧＥＲＡＮ、ＷｉＦｉ、ＷＬＡＮ、ＣＤＭＡ２０００などの、無線デバイスが信号（例えばデータ）を受信及び／又は送信する任意のＲＡＴ又はマルチＲＡＴシステムに適用可能である。
【０１２７】
アンテナノードは、特定のサービスエリア又は方向をカバーする１つ以上のビームを生成できるユニットである。アンテナノードは、基地局又は基地局の一部であり得る。
【０１２８】
通信デザインに精通した者には容易に理解される様に、機能手段又はモジュールは、デジタルロジック及び／又は１つ以上のマイクロコントローラ、マイクロプロセッサ又は他のデジタルハードウェアにより実現され得る。幾つかの実施形態において、幾つかの、総ての又は種々の機能は、単一のアプリケーション特定集積回路（ＡＳＩＣ）、又は、２つ以上の、それらの間の適切なハードウェア及び／又はソフトウェアインタフェースを有する個別デバイスにより実現され得る。機能のいくつかは、たとえば、無線デバイス又はネットワークノードの他の機能コンポーネントと共有されるプロセッサで実現され得る。
【０１２９】
代わりに、処理手段の機能要素の幾つかは、個別ハードウェアを介して提供される一方、他の機能要素は、適切なソフトウェア又はファームウェアに関連してソフトウェアを実行するハードウェアで提供される。この様に、ここで使用される用語"プロセッサ"又は"コントローラ"は、ソフトウェアを実行できるハードウェアのみを参照するのではなく、限定しないが、デジタル信号プロセッサ（ＤＳＰ）ハードウェア、ソフトウェアを格納する読出し専用メモリ（ＲＯＭ）、ソフトウェアを格納するランダムアクセスメモリ（ＲＡＭ）、及び／又は、プログラム、若しくは、アプリケーションデータ及び不揮発性メモリを暗示的に含み得る。他のハードウェア、従来のハードウェア、及び／又は、カスタムハードウェアも含み得る。通信デバイスの設計者は、これらのデザインの選択において本質的な、コスト、パフォーマンス、及び、メンテナンスのトレードオフを理解する。
【０１３０】
本明細書では、無線通信ネットワークにおいて無線デバイスの通信を処理するために無線デバイスによって実行される方法が開示される。第１無線ネットワークノードは、無線デバイスにサービスを提供する。無線デバイスは、ビームの第１数でセル品質導出を実行し、ビームの第２数の測定レポートを実行する。ビームの第１数及びビームの第２数は異なり得る（分離される）。無線デバイスは、セル品質導出を実行するためのビームの第１数を示す第１表示と、測定レポートを実行するためのビームの第２数を示す第２表示と、を取得し得る。ビーム数に関する２つの表示を受信すると、無線デバイスは、これら２つの表示の中から最大値を選択して、ビーム測定ごとに実行するフィルタの数を初期化する。セル品質導出用に設定されたビームの数が測定レポート用のビームの数よりも多い場合、無線デバイスは最大数のフィルタを設定し、実行及び測定し、セル品質導出の条件を満たす総ての値を使用することができるが、測定レポートにはサブセットのみを含める。セル品質導出のための構成されたビーム数が測定報告のためのビーム数よりも小さい場合、無線デバイスは、最大数のフィルタを設定し、実行及び測定し、測定報告には利用可能なすべてのフィルタされた値を含めながら、セル品質導出のためには値のサブセットを使用する。これらの２つの異なる目的で無線デバイスによって使用される第１無線ネットワークノードによって構成されたビーム数は、使用されるビームの最大数として解釈される。無線デバイスがセルを検出し、最大レベルのフィルタを開始してビームレベル測定を実行し、評価期間後に無線デバイスが構成値よりも少ないビーム数を検出した場合、これを使用してセル品質を導出し、これを測定報告に含める。
【０１３１】
本明細書では、無線通信ネットワークの無線デバイスの通信を処理するために第１無線ネットワークノードによって実行される方法が開示される。第１無線ネットワークノードは、無線デバイスにサービスを提供する。第１無線ネットワークノードは、セル品質導出を実行するためのビームの第１数を示す第１表示と、測定レポートを実行するためのビームの第２数を示す第２表示と、を含む構成データを送信する、つまり、データで無線デバイスを構成する。ビームの第１数及びビームの第２数は異なり得る。
【０１３２】
さらに、第１無線ネットワークノード及び無線デバイスは、本開示の方法を実行する様に構成される。
【０１３３】
上記記載及び添付の図面は、本開示の方法及び装置の限定しない例を開示している。よって、本開示の装置及び技術は、上記記載及び添付の図面に限定されない。むしろ、本実施形態は、以下の特許請求の範囲及びその均等のみにより限定される。 
【図１】
0006970212.tif 000002
【図２】
0006970212.tif 000003
【図３】
0006970212.tif 000004
【図４】
0006970212.tif 000005
【図５】
0006970212.tif 000006
【図６】
0006970212.tif 000007
【図７ａ】
0006970212.tif 000008
【図７ｂ】
0006970212.tif 000009
【図８】
0006970212.tif 000010
【図９】
0006970212.tif 000011
【図１０ａ】
0006970212.tif 000012
【図１０ｂ】
0006970212.tif 000013
【図１０ｃ】
0006970212.tif 000014
【図１１ａ】
0006970212.tif 000015
【図１１ｂ】
0006970212.tif 000016
【図１２ａ】
0006970212.tif 000017
【図１２ｂ】
0006970212.tif 000018
【図１３】
0006970212.tif 000019
【図１４】
0006970212.tif 000020
【図１５】
0006970212.tif 000021
【図１６】
0006970212.tif 000022
【図１７】
0006970212.tif 000023
【図１８】
0006970212.tif 000024
【図１９】
0006970212.tif 000025
【図２０】
0006970212.tif 000026